(57)【特許請求の範囲】
【請求項１】
牛乳などを収容する密封室を備えた断熱構造の容器本体の開口部にヒンジ部分を介して開閉自在に設置される保冷容器の蓋体構造であって、
蓋体は、未発泡の合成樹脂からなる外箱と、未発泡の合成樹脂からなる内箱と、これら外箱および内箱との間に介在される発泡合成樹脂製の断熱板と、前記内箱の前記密封室側の一方面に着脱自在に設置される未発泡の合成樹脂からなるポケット部材と、から構成され、
前記外箱の前記密封室側に配置される一方面には、一対の爪部材が一体的に突出形成され、
前記内箱には、前記外箱の前記一対の爪部材が係止される一対の係止用孔と、前記ポケット部材を係止するための一対の第１の爪部材と、他の一対の第２の爪部材とがそれぞれ形成され、前記一対の第１の爪部材は、前記係止用孔の内壁から連続して形成されたものであり、前記一対の第２の爪部材は、前記一対の第１の爪部材を形成した辺とは異なる同一辺に並んで形成され、
さらに、前記断熱板には、前記外箱の前記爪部材を挿通する一対の小孔が形成され、
前記外箱と前記内箱と前記断熱板とを組付けるに際し、
前記外箱の前記爪部材を前記断熱板に形成された前記小孔を介して前記内箱に形成された前記係止用孔に係止させ、これにより、前記外箱と前記断熱板と前記内箱とを一体的に組付けし、
さらに、前記ポケット部材を前記内箱に取付けるに際し、
前記ポケット部材の３辺を、前記内箱に形成された前記一対の第１の爪部材と他の一対の前記第２の爪部材とに係止させて、前記ポケット部材を前記内箱に着脱自在に係止させることを特徴とする保冷容器の蓋体構造。
【請求項２】
前記内箱に形成された前記係止用孔の外方に、前記ポケット部材の一端部が配置されることにより、前記内箱の前記係止用孔が覆われることを特徴とする請求項１に記載の保冷容器の蓋体構造。
【請求項３】
前記内箱に形成された前記係止用孔は、当該内箱の前記密封室側の内面より一段低い位置に形成されていることを特徴とする請求項１または２に記載の保冷容器の蓋体構造。
【請求項４】
前記ポケット部材は、その内部平面部が、底部から開口部側に向かって次第に高くなるように傾斜して形成されるとともに、開口部末端は逆方向に傾斜して間口が広く形成されていることを特徴とする請求項１〜３のいずれかに記載の保冷容器の蓋体構造。
【請求項５】
前記ポケット部材の内部平面部には、突起が形成されていることを特徴とする請求項１〜４のいずれかに記載の保冷容器の蓋体構造。
【発明の詳細な説明】
【０００１】
【発明の属する技術分野】
本発明は、保冷容器の蓋体構造に関し、詳しくは、牛乳あるいは乳酸飲料など家庭に配達されてきた物品を、保冷状態で管理するのに好適な保冷容器の蓋体構造に関する。
【０００２】
【従来の技術】
従来から、牛乳を始めとして、ヨーグルトなどの乳酸飲料は、販売所から各家庭にまで配達される販売方式が一部採用されている。
その場合、購買者の玄関先などには、断熱構造の保冷容器、いわゆる牛乳箱が配置され、この牛乳箱内に商品が配達されている。
【０００３】
ところで、牛乳などの要冷蔵商品が配達される場合は、その商品とともに納品書やつり銭などが届けられる場合がある。そのような場合、納品書などは、配達されてきた商品とともに保冷容器の中に管理されることになる。その場合、納品書などが牛乳などの製品と一緒に収納されると、水浸しになる虞れがあることから、これらの保管場所となるポケット部材を、蓋体の内側（密封室側）に取り付けることが一般に行なわれている。
【０００４】
図１１は、このような従来のポケット部材を備えた保冷容器の蓋体構造を示したもので、この保冷容器２では、断熱性能をもたせるために、容器本体１０ならびに蓋体４内に発泡合成樹脂製の断熱板を内在させるとともに、蓋体４の内箱７に、プラスチック製のポケット部材６が取り付けられている。
【０００５】
【発明が解決しようとする課題】
ところで、このような従来の保冷容器２の蓋体構造では、蓋体４の内箱７とポケット部材６とが、金属製の螺子８により、外箱９に取り付けられているため、蓋体４を容器本体１０から開成した場合に、金属製の螺子８が外面に露出して、美観を損ねるという問題があった。
【０００６】
しかも、この保冷容器２が不要になって回収される場合は、蓋体４を構成する部材の中に、金属製の螺子８が含まれてしまうことなる。したがって、この蓋体４をプラスチックとして、リサイクルする場合には、この螺子８を取り外して分別しなければならないという煩雑さがあった。
本発明はこのような実情に鑑み、商品とともに納品書などを管理するのに好適なポケット部材を具備した蓋体構造であって、取付部材として金属部品を不要とし、リサイクルが容易で、しかも螺子止めなどの煩雑な作業が不要であり、さらには外観を良好に維持することのできる保冷容器の蓋体構造を提供することを目的としている。
【０００７】
【課題を解決するための手段】
上記目的を達成するための本発明に係る保冷容器の蓋体構造は、牛乳などを収容する密封室を備えた断熱構造の容器本体の開口部にヒンジ部分を介して開閉自在に設置される保冷容器の蓋体構造であって、
蓋体は、未発泡の合成樹脂からなる外箱と、未発泡の合成樹脂からなる内箱と、これら外箱および内箱との間に介在される発泡合成樹脂製の断熱板と、前記内箱の前記密封室側の一方面に着脱自在に設置される未発泡の合成樹脂からなるポケット部材と、から構成され、
前記外箱の前記密封室側に配置される一方面には、一対の爪部材が一体的に突出形成され、
前記内箱には、前記外箱の前記一対の爪部材が係止される一対の係止用孔と、前記ポケット部材を係止するための一対の第１の爪部材と、他の一対の第２の爪部材とがそれぞれ形成され、前記一対の第１の爪部材は、前記係止用孔の内壁から連続して形成されたものであり、前記一対の第２の爪部材は、前記一対の第１の爪部材を形成した辺とは異なる同一辺に並んで形成され、
さらに、前記断熱板には、前記外箱の前記爪部材を挿通する一対の小孔が形成され、
前記外箱と前記内箱と前記断熱板とを組付けるに際し、
前記外箱の前記爪部材を前記断熱板に形成された前記小孔を介して前記内箱に形成された前記係止用孔に係止させ、これにより、前記外箱と前記断熱板と前記内箱とを一体的に組付けし、
さらに、前記ポケット部材を前記内箱に取付けるに際し、
前記ポケット部材の３辺を、前記内箱に形成された前記一対の第１の爪部材と他の一対の前記第２の爪部材とに係止させて、前記ポケット部材を前記内箱に着脱自在に係止させることを特徴としている。
【００１０】
また、前記内箱に形成された前記係止用孔の外方に、前記ポケット部材の一端部が配置されることにより、前記内箱の前記係止用孔が覆われることが好ましい。
【００１１】
このような構成であれば、外箱の爪部材が外部に露出することがないので、美観を良好に維持することができる。
さらに、前記内箱に形成された前記係止用孔は、当該内箱の前記密封室側の内面より一段低い位置に形成されていることが好ましい。
このような構成であれば、突出した爪部材をコンパクトに収納することができる。
【００１２】
また、前記ポケット部材は、その内部平面部が、底部から開口部側に向かって次第に高くなるように傾斜して形成されるとともに、開口部末端は逆方向に傾斜して間口が広く形成されていることが好ましい。
このような構成であれば、納品書などを開口部から収容し易いとともに、蓋体を閉じた場合に、納品書などの収容物が落下するのを防止することができる。
【００１３】
さらに、前記ポケット部材の内部平面部には、突起が形成されていることが好ましい。
このような構成であれば、蓋体を閉じた場合に、納品書などの収容物が落下するのを簡単に防止することができる。
【００１４】
【発明の実施の形態】
以下、図面を参照しながら、本発明の実施例について説明する。
図１および図２は、本発明の一実施例により蓋体が取り付けられた牛乳等を収容する保冷容器を示したものである。図３は、その蓋体を分解して、容器の内方側を上にして見たときの斜視図である。
【００１５】
この保冷容器１２は、未発泡の合成樹脂からなる外箱１４と、牛乳１５等が並べられる密封室２０の内壁を画成する未発泡の内箱１６と、これら外箱１４と内箱１６との間に介在される発泡合成樹脂製の断熱板１８とにより、略直方体形状の容器本体２２が構成されている。
一方、容器本体２２の上部開口には、図３に示すような蓋体２４が開閉自在に設置されている。
【００１６】
この蓋体２４は、密封室２０内の保冷性、断熱性を向上させるために、容器本体２２と同様に、未発泡の合成樹脂からなる外箱２６の内方側に発泡合成樹脂製の断熱板２８が介在され、さらにその内方側に、未発泡の合成樹脂からなる内箱３０が配置されている。そして、この内箱３０には、蓋体２４を閉じた場合に、水平方向に開口するポケット部材３２が必要に応じて取り付けられる。
【００１７】
なお、ポケット部材３２は、納品書あるいは販売促進用のチラシ、さらには、つり銭などを収納するためのもので、内箱３０に対して着脱自在に取り付けることが可能にされている。このポケット部材３２は、上記外箱２６内箱３０などと同様に、合成樹脂により形成されている。
また、図４に示したように、ポケット部材３２は、例えば、一方面が内箱３０の内面側に当接されることにより、略矩形状の箱体を構成するもので、蓋体２４を閉じた場合に水平方向に開口する開口部３２ａ側の先端部が、下方に向かってくの字状に屈曲形成されることにより、シート状の納品書などの出し入れが容易にされている。また、内方の平面部３２ｃはこれと反対側に、すなわち底面に向かって低くなるように傾斜して形成されている。このポケット部材３２の内側表面に、図５に示したように、リブあるいはシボ加工などにより突起３４を設ければ、蓋体２４を閉じた場合に、収納された納品書、つり銭などを落ち難くすることができる。
【００１８】
以下に、蓋体２４を構成している外箱２６、内箱３０、並びに断熱板２８の構成と、これらの組み付けについて説明する。
外箱２６の内面には、図３に示したように、一対の爪部材３６，３６が突出形成されている。また、外箱２６内に収容される断熱板２８には、前記爪部材３６，３６と対応する位置に、小孔３８，３８がそれぞれ形成されている。
【００１９】
一方、内箱３０の内面には、外箱２６の上記爪部材３６，３６と対応する位置に、一対の係止用孔４０，４０が形成されている。この係止用孔４０は、図６に拡大して示したように、内箱３０の内面３１に形成された段部４１の底面４３に形成されている。すなわち、内面３１より、一段低い位置に形成されている。
さらに、この係止用孔４０の縁部から連続して、一対の第１の爪部材４６が突出形成されている。なお、この一対の第１の爪部材４６は、上記ポケット部材３２を取り付けて固定するために使用されるものである。
【００２０】
また、内箱３０の回転軸側には、略Ｌ字状に屈曲された一対の第２の爪部材４２，４２が形成され、これら一対の第１，第２の爪部材４６，４６，４２，４２とにより、図２に示したポケット部材３２の係止領域が画成されている。
蓋体２４における外箱２６、断熱板２８、内箱３０を組み付けるには、先ず、外箱２６の内面に断熱板２８が収容され、その後、断熱板２８の内面に内箱３０が取り付けられる。断熱板２８が外箱２６内に収容される場合に、外箱２６の爪部材３６，３６が断熱板２８の小孔３８，３８内に差し込まれる。すると、爪部材３６，３６の先端部は、断熱板２８の小孔３８を貫通して先端部が露出される。その状態から、内箱３０を嵌合すれば、断熱板２８から突出された爪部材３６，３６の先端部が、内箱３０の係止用孔４０内に挿通されるとともに、その先端部が孔４０を形成している段部４１の底面４３に係止される。これにより、外箱２６と断熱板２８と内箱３０との組み付けが完了する。
【００２１】
また、蓋体２４のオプションとして、さらに別部材のポケット部材３２を取り付ける場合は、図４に示したように、ポケット部材３２の一端部３２ｂ側を内箱３０の第２の爪部材４２，４２に係止させ、さらに他の二辺を第１の爪部材４６，４６に係止させれば、ポケット部材３２の３辺が係止されるので、ポケット部材３２を内箱３０に取り付けることができる。なお、ポケット部材３２が不要な場合は、これを取り外しておけばよい。
【００２２】
このような構造の蓋体構造によれば、内箱３０と外箱２６と断熱板２８とを、金属製の螺子などの部材を使用しないで一体化することができる。したがって、不要になった場合のリサイクルが容易になる。
また、本実施例によれば、図７に示したように、内箱３０に形成された係止用孔４０の外方に、ポケット部材３２の一端部３２ｂが配置されるので、係止用孔４０および外箱２６から突出された爪部材３６の先端部を覆うことができ、これにより、美観を向上させることができる。
【００２３】
なお、参考として、図８に示した場合のように、内箱３０の係止用孔４０がポケット部材３２で覆われない場合は、内箱３０の表面側に２つの爪部材３６、４６が露出するので、蓋体を開いた場合の見栄えが悪くなる。これに比べて、本実施例では、図７に示したように、一つの爪部材４６のみしか表面に露出しないので、美観を良好にすることができる。
【００２４】
また、本実施例では、図６および図７に示したように、外箱２６の爪部材３６が内箱３０の平面部より一段低くなった段部４１の底面４３に係止されるので、全体の厚さを小さく抑えることができる。
以上、本発明の位置実施例について説明したが、本発明は上記実施例には何ら限定されない。
【００２５】
例えば、上記実施例では、外箱２６に一対の爪部材３６を設けているが、この爪部材３６は、３つ以上であっても良い。また、ポケット部材３２の形状は実施例に限定されるものではない。
さらに、図９に示したように、ポケット部材３２の裏面に突設片４８を設け、この突設片４８を、外箱２６の爪部材３６に対峙させれば、この部分に外箱２６と内箱３０との外れ防止機構を構成することができる。
【００２６】
また、上記実施例では、保冷容器を床面などに載置する例を示したが、これに代え、保冷容器を壁掛け用としても使用することもできる。保冷容器を壁掛け用として使用する場合は、予め外壁等にフックを打ち込んでおき、このフックに、図１０に示したように、容器本体２２の背面に形成された孔５２，５２を引っ掛ければ、姿勢を安定にすることができる。このような場合に、容器本体２２の背面の下方に、切欠部５０，５０を目印として設けておけば取付性を向上させることができる。すなわち、この２つの切欠部５０間の間隔Ｓは、上方に形成された孔５２，５２の間隙と等しい寸法である。このように、孔５２間の間隔と切欠部５０間の間隔とが等しく設定されていれば、この切欠部５０，５０を外壁のフックの下方に配置し、その状態から壁面に押し倒せば、壁面のフックと孔５２とを容易に合致させることができる。
【００２７】
【発明の効果】
以上説明したように、本発明に係る保冷容器における蓋体構造によれば、金属製の螺子などを用いずに、断熱構造の蓋体を構成することができる。
また、内箱の係止用孔ならびに外箱の爪部材を外方に露見しないようにポケット部材を配置することができるので、美観を良好に維持することができる。また、内箱の係止用孔の直ぐ側方に爪部材が形成されているので、金型構造が簡単になり、コスト的にも安価になる。また、内箱の段部底面に係止用孔を設ければ、全体の厚さを低く抑えることができる。
【図面の簡単な説明】
【図１】図１は本発明の一実施例による蓋体構造が構成された保冷容器を前面側から見た場合の半断面図である。
【図２】図２は図１に示した保冷容器の側断面図である。
【図３】図３は本実施例による蓋体の分解斜視図である。
【図４】図４は図３の蓋体に取り付けられたポケット部材の取り付け構造を示す断面図である。
【図５】図５は図４に示したポケット部材の他の例を示す断面図である。
【図６】図６は図３に示した内箱の部分拡大斜視図である。
【図７】図７は本発明の一実施例による蓋体構造の断面図である。
【図８】図８は本実施例の一実施例による蓋体構造の作用効果を比較するために示した他の蓋体構造の断面図である。
【図９】図９は本発明の他の実施例による蓋体構造の断面図である。
【図１０】図１０は本実施例の一実施例による保冷容器の概略背面図である。
【図１１】図１１は従来の蓋体構造を備えた保冷容器の斜視図である。
【符号の説明】
１２    保冷容器
１５    牛乳
２０    密封室
２２    容器本体
２４    蓋体
２６    外箱
２８    断熱板
３０    内箱
３２    ポケット部材
３４    突起
３６    外箱の爪部材
３８    小孔
４０    内箱の係止用孔
４２    内箱の第２の爪部材
４３    底面
４６    内箱の第１の爪部材
４８    突設片
５０    切欠部
【図１】
0003774411.tif 000002
【図２】
0003774411.tif 000003
【図３】
0003774411.tif 000004
【図４】
0003774411.tif 000005
【図５】
0003774411.tif 000006
【図６】
0003774411.tif 000007
【図７】
0003774411.tif 000008
【図８】
0003774411.tif 000009
【図９】
0003774411.tif 000010
【図１０】
0003774411.tif 000011
【図１１】
0003774411.tif 000012